(57)【要約】【課題】市場において空気調和機の据付け時においてエアフィルターの取り付けミスからエアフィルターの爪がフィルターワクから外れて浮き上がり、エアフィルターの自動清掃時に吸引ノズルがエアフィルターに引っ掛り吸引ノズルがロックし、最悪の場合、吸引ノズルが停止する場合があるという課題があった。【解決手段】市場において空気調和機の据付け時においてのエアフィルターの取り付けミスを防止するとともに、エアフィルターの自動清掃時に吸引ノズルが停止することを防止しする。【選択図】図５
2007101104.tif 000002
【特許請求の範囲】
【請求項１】
空気調和機の室内ユニットにおいて、自動清掃装置を搭載した室内ユニットであって、前記自動清掃装置を搭載した室内ユニットにかぎりエアフィルターに上下方向に移動するロックツマミを設けたことを特徴とする空気調和機の室内ユニット。
【請求項２】
前記エアフィルターを取り付けるフィルターワクに、前記上下方向に移動するロックツマミのＬ字の引っ掛け部が、前記エアフィルターワクのリブに誘い込み易くするために、前記上下方向に移動するロックツマミの両端部にＣ面を設けたこと特徴とする請求項１に記載の空気調和機の室内ユニット。
【請求項３】
前記フィルターワクのリブに前記上下方向に移動するロックツマミのＬ字の引っ掛け部を誘い込み易くするために、前記フィルターワクのリブ先端部にＣ面を設けたこと特徴とする請求項１に記載の空気調和機の室内ユニット。
【請求項４】
前記エアフィルターのロックツマミを水平方向に動かすことを特徴とする請求項１に記載の空気調和機の室内ユニット。
【発明の詳細な説明】
【技術分野】
【０００１】
本発明は空気調和機に関し、さらに詳しくは自動清掃装置を搭載した空気調和機のエアフィルターの構造に関するものである。
【背景技術】
【０００２】
従来の空気調和機のフィルター装置は、熱交換器の前面に、空気調和機の本体内部へ埃が侵入することを防ぐためのエアフィルターが設けられており、このエアフィルターは付着した塵埃を手で清掃できるように着脱自在に構成されている。こうした構成でのフィルター装置は頻繁なメンテナンスが必要となるだけでなく、メンテナンスが行われるまでの間にはエアフィルターが徐々に目詰まりしていき、その結果、熱交換器を通過する風量が低下して空調能力が低下して消費電力の増大につながることとなる。
【０００３】
このため、フィルターのメンテナンスの手間を低減する目的で、エアフィルターの自動清掃装置としてフィルターに付着した塵埃を吸引ノズルを介して塵埃吸引装置により吸引清掃し、吸引された塵埃を室外へ排出するエアフィルターの自動清掃装置がある（例えば、特許文献１参照）。
【特許文献１】特開平０４−０８４０４２号公報
【発明の開示】
【発明が解決しようとする課題】
【０００４】
しかしながら、市場において空気調和機の据付け時においてエアフィルターの取り付けミスからエアフィルターの爪がフィルターワクから外れて浮き上がり、エアフィルターの自動清掃時に吸引ノズルがエアフィルターに引っ掛り吸引ノズルがロックし、最悪の場合、吸引ノズルが停止する場合があるという課題があった。
【０００５】
本発明は、前記従来の課題を解決するもので、市場において空気調和機の据付け時においてのエアフィルターの取り付けミスを防止するとともに、エアフィルターの自動清掃時に吸引ノズルが停止することを防止し、信頼性の高いエアフィルターの自動清掃装置を提供することを目的とする。
【課題を解決するための手段】
【０００６】
前記従来の課題を解決するために、本発明の請求項１は自動清掃装置を搭載した空気調和機のエアフィルターに上下方向に移動するロックツマミを設けたものである。
【０００７】
これによって、市場において空気調和機の据付け時においてのエアフィルターの取り付けミスから、エアフィルターの爪がフィルターワクから外れて浮き上がることを防止し、エアフィルターの自動清掃時に吸引ノズルが停止することを防ぐことができる。
【０００８】
また、エアフィルターに上下方向に移動するロックツマミを設けたことにより、確実にフィルターワクに取り付けることができ、より信頼性の高い自動清掃装置を提供することが可能となる。
【発明の効果】
【０００９】
本発明によれば、自動清掃装置を搭載した空気調和機のエアフィルターに上下方向に移動するロックツマミを設けたことにより、フィルターワクにエアフィルターが確実に取り付けられ、エアフィルターがフィルターワクから浮き上がることもなく、吸引ノズルが停止することを防ぐことができる。
【発明を実施するための最良の形態】
【００１０】
第１の発明は、熱交換器を通過する空気の塵埃を除去するエアフィルターと、前記エアーフィルターに沿って移動可能な吸引ノズルと、前記吸引ノズルに連結された塵埃吸引装置により構成されるフィルター自動清掃装置を具備した空気調和機において、前記エアフィルターに上下方向に移動するロックツマミを設けることにより、フィルターワクのリブに前記上下方向に移動するロックツマミのＬ字の引っ掛け部を前記フィルターワクのリブ確実に引っ掛けることにより、前記フィルターワクから前記エアフィルターが浮き上がることを防止し、前記エアフィルターの自動清掃時において前記移動可能な吸引ノズルが前記エアフィルターに引っ掛かって前記移動可能な吸引ノズルが停止することを防ぐことができ、より信頼性の高い自動清掃装置を提供することができる。
【００１１】
第２の発明は、特に、第１の発明の上下方向に移動するロックツマミのＬ字の引っ掛け部を形成する爪の両端部にＣ面を設け、フィルターワクのリブに誘い込み易くすることにより、確実にフィルターワクのリブに上下方向に移動するロックツマミのＬ字の引っ掛け部を引っ掛けエアフィルターの浮き上がりを防止し、より信頼性の高い自動清掃装置を提供することができる。
【００１２】
第３の発明は、特に、第１の発明のフィルターワクのリブの先端部にＣ面を設けることにより、上下方向に移動するロックツマミのＬ字の引っ掛け部をより誘い易くし、確実にフィルターワクのリブに上下方向に移動するロックツマミのＬ字の引っ掛け部を引っ掛け、エアフィルターの浮き上がりを防止し、より信頼性の高い自動清掃装置を提供することができる。
【００１３】
第４の発明は、特に、第１の発明のエアフィルターに設けたロックツマミを水平方向に移動させることにより、より確実にエアフィルターがフィルターワクから浮き上がることを防止し、信頼性の高い自動清掃装置を提供することができる。
【００１４】
以下、本発明の実施の形態について図面を参照して説明する。なお、この実施の形態によって本発明が限定されるものではない。
【００１５】
（実施の形態１）
図１は、本発明における空気調和機の室内ユニットであり、図２はエアフィルターの自動清掃装置である。
【００１６】
図３にも示すように、室内機１内部の自動清掃装置のユニット２に、エアフィルター３があり、エアフィルター３に付着した塵埃を吸引する吸引ノズル６が設置されている。また、吸引ノズル６から吸い込んだ塵埃を、蛇腹形状の吸い込みダクト７を介して塵埃吸引装置８に連結されている。
【００１７】
図４〜６に示すように、エアフィルター３は、ロックツマミ４とＬ字の引っ掛け部５を有しロックツマミ４はエアフィルター３の前面側、引っ掛け部５はエアフィルター３の背面側から、とエアフィルター３を挟み込むように取り付けられており、ロックツマミ４を動かすと引っ掛け部５も同時に動くようになっている。
【００１８】
この構成において、フィルターワク９にエアフィルター３を取り付ける際、エアフィルター３の前面側に取り付けられているロックツマミ４を下側へ移動させることにより、フィルターワク９のリブ１０をエアフィルター３とＬ字の引っ掛け部５との間にくわえ込み、エアフィルター３がフィルターワク９から浮き上がることがなくなる。
【００１９】
また、図７に示すようにＬ字の引っ掛け部５の両端部にＣ面を設けることにより、フィルターワク９のリブ１０に誘い込み易くし、さらには、フィルターワク９のリブ１０の先端部にＣ面を設けることにより、Ｌ字の引っ掛け部５を誘い込み易くする。
【００２０】
また、図８に示すようにロックツマミ４を水平方向に動かすことも可能である。
【００２１】
この状態で自動清掃装置が作動した状態で、吸引ノズル６がエアフィルタ３の風上側の面に沿って移動し、この際、エアフィルタ３に引っ掛ることもなく、信頼性の高い自動清掃装置を提供することができる。
【産業上の利用可能性】
【００２２】
以上のように、本発明にかかる空気調和機は、空気調和機以外でも、エアフィルタ−を有し、自動清掃装置が搭載される機器に対しても適用可能である。
【図面の簡単な説明】
【００２３】
【図１】本発明の実施の形態における空気調和機の室内ユニットを説明する図
【図２】本発明におけるエアフィルターの自動清掃装置の斜視図
【図３】本発明におけるエアフィルターの斜視図
【図４】本発明におけるロックツマミとＬ字の引っ掛け部の斜視図
【図５】本発明における自動清掃装置の断面図
【符号の説明】
【００２４】
１  室内ユニット
２  自動清掃装置
３  エアフィルター
４  ロックツマミ
５  Ｌ字の引っ掛け部
６  吸引ノズル
７  吸い込みダクト
８  塵埃吸引装置
９  エアフィルターワク
１０リブ
【図１】
2007101104.tif 000003
【図２】
2007101104.tif 000004
【図３】
2007101104.tif 000005
【図４】
2007101104.tif 000006
【図５】
2007101104.tif 000007